(57)【特許請求の範囲】
【請求項１】
長手方向に貫通した貫通孔を有する中空セラミック棒状建材を略水平に設置した設置構造であって、
該貫通孔に棒状体が挿通され、該棒状体によって該棒状建材が支持されていることを特徴とする棒状建材の設置構造。
【請求項２】
請求項１において、前記棒状体の少なくとも一部の上面部に上向きのテーパ状部分が設けられると共に、該貫通孔の内面の上面部に下向きのテーパ状部分が設けられ、該上向きテーパ状部分と該下向きテーパ状部分とが係合していることを特徴とする棒状建材の設置構造。
【請求項３】
長手方向に貫通した貫通孔を有する中空セラミック棒状建材が略水平に設置され、該棒状建材の両端が支持部材によって支持された棒状建材の設置構造であって、
該支持部材同士の間に棒状体又は線状体が架設されていることを特徴とする棒状建材の設置構造。
【請求項４】
請求項３において、前記棒状体又は線状体が軟質材で覆われていることを特徴とする棒状建材の設置構造。
【請求項５】
請求項１ないし４のいずれか１項において、前記棒状建材の長手方向の端部に切欠部が設けられ、該切欠部を通して作業が可能となっていることを特徴とする棒状建材の設置構造。
【発明の詳細な説明】
【０００１】
【発明の属する技術分野】
本発明は、中空セラミックよりなる棒状建材を横引きに設置した設置構造に関するものである。詳しくは、例えば窓の外面に沿って水平ブラインド（日除け）や水平な面格子を設けたり、あるいは校倉造り調の壁面を構築する場合に好適な棒状建材の設置構造に関する。
【０００２】
【従来の技術】
従来、窓の日除けのためには布製のカーテンやプラスチック製のブラインド、竹製のすだれ等が用いられているが、いずれも長期の耐久性に乏しく、数年ないし１０年程度しか使うことができず、また、屋外に使用することもできない。
【０００３】
また、従来、窓の面格子にはアルミ等の金属材や、木材が用いられているが、タイル張り壁面にあっては格子とタイルとの材質上の違和感があり、意匠性に劣ることがあった。
【０００４】
【発明が解決しようとする課題】
そこで、この日除けや面格子を耐久性が良く、またタイルと材質感をマッチさせることも可能なセラミック製とすることが考えられる。しかしながら、セラミックは割れる可能性のある材料であるため、セラミック製棒状建材を水平に設置した場合、折れて落下するおそれがある。
【０００５】
本発明は、折れたりしても落下しないセラミック製棒状建材の設置構造を提供することを目的とする。
【０００６】
【課題を解決するための手段】
本発明（請求項１）の棒状建材の設置構造は、長手方向に貫通した貫通孔を有する中空セラミック棒状建材を略水平に設置した設置構造であって、該貫通孔に棒状体が挿通され、該棒状体によって該棒状建材が支持されていることを特徴とするものである。
【０００７】
かかる本発明の棒状建材の設置構造にあっては、棒状建材が貫通孔を有した中空であり、この貫通孔内に棒状体が挿入されているので、棒状建材が折れても落下することがない。また、棒状建材を中空とすることにより、棒状建材の重量も軽減される。
【０００８】
本発明では、棒状体の少なくとも一部の上面部に上向きのテーパ状部分が設けられると共に、該貫通孔の内面の上面部に下向きのテーパ状部分が設けられ、該上向きテーパ状部分と該下向きテーパ状部分とが係合している構成としてもよい（請求項２）。
【０００９】
かかる構成にあっては、棒状体上面部の上向きのテーパ状部分と貫通孔の内面の上面部に設けられた下向きのテーパ状部分とが係合しており、棒状建材の動きが拘束され、棒状建材のガタツキが防止される。
【００１０】
本発明（請求項３）の棒状建材の設置構造は、長手方向に貫通した貫通孔を有する中空セラミック棒状建材が略水平に設置され、該棒状建材の両端が支持部材によって支持された棒状建材の設置構造であって、該支持部材同士の間に棒状体又は線状体が架設されていることを特徴とするものである。
【００１１】
かかる棒状建材の設置構造にあっては、支持部材によって棒状建材の両端が支持され、この支持部材同士の間に棒状体又は線状体が挿通されているので、棒状建材が折れても落下することがない。また、棒状建材が中空であり、軽量である。
【００１２】
この場合、棒状体又は線状体を軟質材で覆ってもよい（請求項４）。このように軟質材を設けると、貫通孔に入り込んだ水が凍結した場合でも、水の凍結による体積膨張を該軟質材が吸収するので、棒状建材の割れが防止される。
【００１３】
また、棒状建材の長手方向の端部に切欠部が設けられ、該切欠部を介して棒状建材の取付等の作業を行えるようにしてもよい（請求項５）。このようにすれば、棒状建材の取付や交換等の作業効率が向上する。
【００１４】
【発明の実施の形態】
以下、図面を参照して実施の形態について説明する。第１図（ａ）は実施の形態に係る棒状建材の設置構造を示す斜視図、第１図（ｂ）は第１図（ａ）のＢ−Ｂ線に沿う断面図である。
【００１５】
この実施の形態にあっては、棒状建材１が棒状体としての保持金具３によって保持されて設置施工されている。この棒状建材１は、長手方向と直交方向の断面の外面が略長方形である。この棒状建材１には、長手方向に貫通する貫通孔２，２ａ，２ｂが設けられている。貫通孔２は、正方形断面形状のものであり、正方形の対角線が棒状建材１の外面と平行方向となるように設けられている。
【００１６】
２個の該貫通孔２の間に三角形断面形状の刊行物２ｂが配置され、また、棒状建材１の断面において四隅部に貫通孔２ａが配置されている。
【００１７】
保持金具３は、該貫通孔２よりも若干小さい正方形断面形状の角パイプよりなる。
【００１８】
この棒状建材１は、保持金具３が貫通孔２の内面の上面部に当接することにより、断面の長辺が略水平方向となるように設置される。この場合、貫通孔２の内面の上面部は、下向きのテーパ状であり、保持金具３の上面部は上向きのテーパ状である。また、このテーパ状部分の開き角度は同一（この実施の形態では９０°）である。このテーパ状の部分同士が係合するので、棒状建材１がその長手方向と直交する水平方向に動くことがなく、棒状建材１にガタツキが生じない。また、貫通孔２に保持金具３が挿通されていることから、棒状建材１が折れても棒状建材１が落下することがない。
【００１９】
第２図（ａ），（ｂ）は別の実施の形態に係る棒状建材の設置構造を示す斜視図と断面図である。この実施の形態では、棒状建材４に三角形断面形状の貫通孔５，６，７，９が設けられている。この棒状建材４も、長手方向と直交方向の断面の外面形状が長方形であり、この長方形の長辺が略水平となるように設置される。
【００２０】
正三角形の断面形状の貫通孔５，７は、この長辺方向の両側に上に向って凸となるように配置されている。貫通孔６は、これらの貫通孔５，７の間に下に向って凸となるように配置されている。小さな直角三角形の貫通孔９は、該長辺方向の両端側に下に向って凸となるように配置されている。
【００２１】
この貫通孔５，７に正三角形断面形状の保持金具８が上方に向って凸となるように挿通され、該保持金具８の両端が方立等に支持される。
【００２２】
この第２図の棒状建材の設置構造においても、棒状建材４が保持金具８によってガタツキなく保持されると共に、万一折れても落下することがない。
【００２３】
この方立等への取付作業を容易とするために、第３，４図の棒状建材１０のように両端部に切り欠き部１２を設けてもよい。なお、第３図はこの棒状建材１０の端部の斜視図、第４図（ａ）はこの棒状建材の設置構造を示す水平断面図、第４図（ｂ）は第４図（ａ）のＢ−Ｂ線に沿う断面図（縦断面図）である。
【００２４】
第４図の通り、長板状の方立２０が所定間隔をおいて複数本立設されている。各方立２０は、板面を互いに平行にしている。
【００２５】
この棒状建材１０の貫通孔１１内に棒状体として角パイプ２４が挿入されている。この角パイプ２４の両端に保持金具２３が溶接により固着されている。この保持金具２３は方形板状体よりなり、その上辺が貫通孔１１の内面の天井面部分に当接し、棒状建材１０を支承している。
【００２６】
この保持金具２３からは棒状建材１０の両端に向って水平に突片２２が突設されており、この突片２２が連結金具２１を介して方立２０に連結されている。この連結金具２１はＬ形アングルよりなり、ボルト及びナットによって方立２０に連結されると共に、ボルトによって突片２２に連結されている。前記切り欠き部１２を設けているので、このボルト締めやナット締め作業が容易である。また、棒状建材１０の両端が方立２０に接するほどに近接配置させることが可能であり、金具２１，２３やボルト等が隠されるようになり、美観が良好となる。
【００２７】
この実施の形態にあっても、棒状建材１０に角パイプ２４が挿通されているから、万一棒状建材１０が折れても落下することがない。
【００２８】
第５図はさらに別の実施の形態に係る棒状建材の設置構造を示す斜視図、第６図、第７図（ａ）及び第７図（ｂ）はそれぞれ第５図のVI−VI線、VIIＡ−VIIＡ線及びVIIＢ−VIIＢ線に沿う断面図である。
【００２９】
この棒状建材３０は、長手方向と直交方向の断面形状が長方形状であり、小さな長方形断面形状の貫通孔３１を複数個（この実施の形態では４個）備えている。この貫通孔３１は、棒状建材３０の長辺方向に配列されている。
【００３０】
この棒状建材３０は、略水平方向となるように配置され、水平幅方向の両端側の２個の貫通孔３１，３１に棒状体としての角パイプ３３が挿通されている。
【００３１】
この角パイプ３３の両端にそれぞれＬ形アングルよりなる保持金具３４が溶接等により固設されている。この保持金具３４は、角パイプ３３の上側に延出しており、この保持金具３４が貫通孔３１の天井面部に当接することにより棒状建材３０が支承される。
【００３２】
この保持金具３４に対しパッキン３５を介して連結金具３６が重ね合わされ、ボルト３７によって該連結金具３６が保持金具３４に固定されている。
【００３３】
この連結金具３６は長板状のものであり、棒状建材３０の端面に当てがわれるように配置され、棒状建材３０の側方へ水平に延出されている。
【００３４】
この連結部材３６が方立３８を介して躯体側の構造体４１に支持される。この方立３８は、基端側が躯体側の構造体４１にボルト４０によって固定され、先端側が該構造体４１から突設されている。
【００３５】
この方立３８に対し連結金具３６がボルト３９及びナットによって固定される。
【００３６】
第８図は異なる実施の形態に係る棒状建材の設置構造を示す斜視図、第９図（ａ）はその水平断面図、第９図（ｂ）は第９図（ａ）のＢ−Ｂ線に沿う断面図（縦断面図）である。
【００３７】
この棒状建材５０は、長手方向と直交方向の断面形状が長方形であり、１個の長方形断面形状の貫通孔５１を有している。この貫通孔５１内に、軟質なゴム又は樹脂等の凍結破壊防止用発泡体５２が装着された金属製ロッドよりなる落下防止用金具５３が挿通されている。
【００３８】
該金具５３の両端にそれぞれ連結金具５４を介して保持金具５６が取り付けられ、この保持金具５６が躯体側の構造体５８に連結されることにより、棒状建材５０の両端が構造体５８，５８に支持されている。
【００３９】
前記ロッド状の金具５３の両端には雄ネジが刻設されており、この金具５３の端部が連結金具５４の孔に挿通され、ナット５５が螺着される。この連結金具５４に対し保持金具５６がビス留めされている。
【００４０】
保持金具５６は、その先端部が貫通孔５１内に差し込まれ、該貫通孔５１の天井面部分に当接し、これによって棒状建材５０が保持金具５６に支承される。この保持金具５６の基端側がボルト５７及びナットにより構造体５８に固定されている。
【００４１】
この棒状建材の設置構造においても、金具５３を貫通孔５１に挿通させているので、万一棒状建材５０が折れても落下しない。
【００４２】
この実施の形態にあっては、発泡体５２を金具５３の外周に装着しており、貫通孔５１内において水が凍結しても棒状建材５０が割れることがない。即ち、水が凍結したときの体積膨張がこの発泡体５２によって吸収されるため、膨張圧が棒状建材５０に殆ど加えられず、棒状建材５０の割れが防止される。
【００４３】
上記実施の形態は本発明の一例であり、本発明は図示以外の形態をもとりうる。例えば、上記実施の形態では角パイプ又はロッド状の部材が貫通孔に挿通されているが、ワイヤ等が貫通孔に挿通されてもよい。
【００４４】
また、第１，２図では正方形又は三角形の断面形状の貫通孔及び保持金具が図示されているが、六角形や台形等の断面形状の貫通孔や保持金具を用いてもよい。また、貫通孔と保持金具は必ずしも同形もしくは相似形である必要はなく、別々の形状であってもよいことは明らかである。
【００４５】
【発明の効果】
以上の通り、本発明によるとガタツキを生じさせることのない棒状建材の設置構造が提供される。また、本発明によると、万一折れても落下しない棒状建材の設置構造が提供される。
【図面の簡単な説明】
【図１】実施の形態に係る棒状建材の設置構造の斜視図と断面図である。
【図２】実施の形態に係る棒状建材の設置構造の斜視図と断面図である。
【図３】さらに別の実施の形態に係る棒状建材の設置構造を示す斜視図である。
【図４】実施の形態に係る棒状建材の設置構造を示す断面図である。
【図５】実施の形態に係る棒状建材の設置構造を示す斜視図である。
【図６】図５のVI−VI線に沿う断面図である。
【図７】図５のVIIＡ−VIIＡ線及びVIIＢ−VIIＢ線に沿う断面図である。
【図８】異なる実施の形態を示す斜視図である。
【図９】異なる実施の形態を示す断面図である。
【符号の説明】
１，４，１０  棒状建材
２，２ａ，２ｂ，５，６，７，９，１１  貫通孔
３，８  保持金具
１２  切り欠き部
２０  方立
２１  連結金具
２３  保持金具
２４  角パイプ
３０，５０  棒状建材
３１，５１  貫通孔
３３  角パイプ
３４，５６  保持金具
３６，５４  連結金具
３８  方立
４１，５８  躯体側の構造体
５２  発泡体
５３  落下防止金具
【図１】
0003982187.tif 000002
【図２】
0003982187.tif 000003
【図３】
0003982187.tif 000004
【図４】
0003982187.tif 000005
【図５】
0003982187.tif 000006
【図６】
0003982187.tif 000007
【図７】
0003982187.tif 000008
【図８】
0003982187.tif 000009
【図９】
0003982187.tif 000010